(57)【要約】【課題】マッサージベッド構造を提供する。【解決手段】主にマッサージベッド本体を含み、若干の容置空間は該マッサージベッド本体内部に配置し、しかも該各容置空間内部にはすべて複数のエアチューブを設置し、しかも該各エアチューブの一端は一体に固定され、少なくとも１個の空気充填ユニットは該各エアチューブと連接し、該各エアチューブに対して空気充填を行うことができ、若干の空気排出ユニットは該各エアチューブと連接し、該各エアチューブに対して空気排出を行うことができ、制御ユニットは該空気充填ユニットの動作を制御可能で、該各エアチューブが相互に押上げることでマッサージを行う。こうして本考案のマッサージベッドは快適かつ効果的なマッサージの機能と効果を達成することができる。【選択図】図１
0003139528.tif 000002
【実用新案登録請求の範囲】
【請求項１】
主にマッサージベッド構造はマッサージベッド本体、若干の容置空間、少なくとも１個の空気充填ユニット、若干の空気排出ユニット、制御ユニットを含み、
該若干の容置空間は該マッサージベッド本体内部に配置し、しかも該各容置空間内部にはすべて複数のエアチューブを設置し、しかも該各エアチューブの一端は一体に固定され、
該少なくとも１個の空気充填ユニットは該各エアチューブと連接し、該各エアチューブに対して空気充填を行うことができ、
該若干の空気排出ユニットは該各エアチューブと連接し、該各エアチューブに対して空気排出を行うことができ、
該制御ユニットは該空気充填ユニットの動作を制御可能であることを特徴とするマッサージベッド構造。
【請求項２】
前記制御ユニット上には若干の制御ボタンを配置することを特徴とする請求項１に記載のマッサージベッド構造。
【請求項３】
前記各容置空間内には、該各エアチューブに対応し、１個の復位ユニットを配置することを特徴とする請求項１に記載のマッサージベッド構造。
【考案の詳細な説明】
【技術分野】
【０００１】
本考案は一種のマッサージベッドに関する。特に一種の快適かつ効果的なマッサージを達成可能なマッサージベッド構造に係る。
【背景技術】
【０００２】
長時間の仕事や激しい運動の後には、しばしば腰や背中のだるい痛みが起きる。このような場合の最良の解決方法はマッサージを行うことで、筋肉をほぐすことができ、さらにはストレスを和らげることもできる。
【０００３】
マッサージの方式は二種に分けられ、一つは他人にマッサージしてもらうもので、もう一つは道具を用い自分でマッサージを行うものである。友人や家族などにマッサージをしてもらえば、一切費用がかからないという利点もあるが、彼らは素人であるため、力の入れ加減やマッサージすべき重点部位などに対して詳しくなく、効果は十分でない。対して、専門のマッサージ師に頼めば、ほぐしの高い効果を得ることはできるが、費用が非常に高く、経済的な負担は大きい。
【０００４】
よって市場には多くのマッサージ器が見られる。これにより自身でマッサージでき、別に費用を負担する必要なく、しかも使用者は力の入れ加減及びマッサージの重点部位を自身で制御できるため、非常に経済的である。
【０００５】
マッサージ器の一種であるマッサージベッドは、使用者はその上に横たわるだけでマッサージを受けることができ、リラックス効果が高い設備である。しかし、一般のマッサージベッドは通常はベッドの背中に当たる部分にローラーを装置し、ローラーの上下移動或いは震動を利用し使用者の背中に対してマッサージを行うものである。しかしローラーの触感は堅過ぎるため、使用者の背中と直接接触すると、使用者は硬物に押されているような不快感を感じ、実用に耐え得るものとは言いがたい。
【０００６】
上記一般マッサージベッドの遺憾な点に鑑み、本考案人はその不完全さに思いを致し、研究開発に尽力し、該項産業における長年にわたる経験を生かし、ついにマッサージベッド構造の開発に成功した。簡単な設計を利用しながら、本考案は快適で、しかも有効なマッサージの機能と効果を達成することができる。
【考案の開示】
【考案が解決しようとする課題】
【０００７】
本考案が解決しようとする主な課題はマッサージベッド構造を設計し、快適な機能と効果を達成し、
本考案が解決しようとする次なる課題はマッサージベッド構造を設計し、有効なマッサージの機能と効果を達成することである。
【課題を解決するための手段】
【０００８】
上記課題を解決するため、本考案は下記のマッサージベッド構造を提供する。
【０００９】
それはマッサージベッド本体、若干の容置空間、少なくとも１個の空気充填ユニット、若干の空気排出ユニット、制御ユニットを含み、
該若干の容置空間は該マッサージベッド本体内部に配置し、しかも該各容置空間内部にはすべて複数のエアチューブを設置し、しかも該各エアチューブの一端は一体に固定され、
該少なくとも１個の空気充填ユニットは該各エアチューブと連接し、該各エアチューブに対して空気充填を行うことができ、
該若干の空気排出ユニットは該各エアチューブと連接し、該各エアチューブに対して空気排出を行うことができ、
該制御ユニットは該空気充填ユニットの動作を制御可能で、
該各エアチューブが相互に押上げることでマッサージを行い、こうして本考案のマッサージベッドは快適かつ効果的なマッサージの機能と効果を達成することができる。
【考案の効果】
【００１０】
上記のように、本考案はマッサージベッドの設計を確実に実行でき、しかも公知技術の各種欠点を改善することができる。すなわち独創的で産業ニーズに合った高度な考案で、しかも新規性及び進歩性を備えるため、実用新案登録の法定要件に完全に符合している。
【考案を実施するための最良の形態】
【００１１】
本考案の上記と他の目的、特徴及び機能と効果を明らかにするため、以下に具体的な実施例に図式を合わせ詳細な説明を行う。
【００１２】
それぞれ本考案の外観指示図及び正面透視図である図１及び図２、それぞれ本考案のエアチューブ配置図及び各構成部品連接の指示図である図３及び図４に示すように、本考案のマッサージベッド１０はマッサージベッド本体１１を含む。その内部には若干の容置空間１２（区画がなければ内部は一個の容置空間で、区画があれば内部は多数個の容置空間を備える）を配置し、しかも該各容置空間１２内には複数のエアチューブ１３を配置する。
【００１３】
該マッサージベッド１０上には制御ユニット１４を配置し、該エアチューブ１３と連接する空気充填ユニット１６を制御し、該エアチューブ１３に対して空気充填の動作を行わせる。該制御ユニット１４が該空気充填ユニット１６を制御し、該エアチューブ１３に対する空気充填を停止すると、該エアチューブ１３内の空気はそれが連接する空気排出ユニット１７を通して自然に排出され、空気排出の動作を形成する。
【００１４】
該各エアチューブ１３は空気排出後、空気未充填時の相対位置を回復することはできなため、該各容置空間１２内には該エアチューブ１３に対応し復位ユニット１５（通常はゴム紐）を配置し、空気排出後のエアチューブ１３を空気未充填時の相対位置に戻し、次の空気充填時の使用に備える。
【００１５】
この他、該空気充填ユニット１６は空気充填ポンプで、該空気排出ユニット１７は空気排出バルブである。
【００１６】
同一容置空間１２内の各エアチューブ１３の一端は一体に固定される（すべて該容置空間１２の壁面或いは底面に固定される）ため、まだ空気が充填されていない時には、該各エアチューブ１３は相互に積み重なり接続する。該空気充填ユニット１６が該エアチューブ１３に対して空気充填を行う時、その一端は一体に固定されるため、該各エアチューブ１３は膨脹し相互に押し上げ、その上に向かう移動量はより大きくなり、よって力量もより強くなる。
【００１７】
使用者が本考案のマッサージベッド１０を使用する時には、先ず該マッサージベッド本体１１上に横たわり、次に該制御ユニット１４を操作し該エアチューブ１３の空気充填／空気排出（膨脹／収縮）を制御すれば、自動的に使用者身体に対してマッサージを行うことができる。
【００１８】
該エアチューブ１３に空気を充填することによりマッサージを行うため、非常に柔軟で快適で、公知のローラーを利用して行うマッサージがもたらす不快感を払拭することができる。
【００１９】
さらに、該各エアチューブ１３の一端は一体に固定されるため、該各エアチューブ１３に空気を充填すると。膨脹により相互に押し上げ、その上に向かう移動量はより大きくなり、よって力量もより強くなる。つまりそのマッサージ力がより強力ということで、公知のエアチューブ式マッサージベッドの力量不足の遺憾な点を改善することができる。よって、本考案のマッサージベッド１０は非常に実用的である。
【００２０】
別に、本考案マッサージベッド１０の制御ユニット１４上には若干の制御ボタン１４１、１４２、１４３、１４４を設置し、単一のエアチューブ１３或いは特定の容置空間１２内のエアチューブ１３に対応制御し空気充填／空気排出を行うことができ、他の部分のエアチューブ１３は動作しないため、使用者身体の特定部位に対してマッサージを行うことができ、極めて優れた効果を発揮する。
【００２１】
また、該マッサージベッド本体１１の特定位置に収納袋を配置し、該制御ユニット１４をその中に入れ、美観と収納の機能と効果を達成することができる。
【００２２】
さらに、該マッサージベッド本体１１の特定位置及び該制御ユニット１４の背面それぞれに磁石を配置し、これにより該制御ユニット１４は該マッサージベッド１０に配置する磁石上に吸着され、美観と収納の機能と効果を達成することができる。
【図面の簡単な説明】
【００２３】
【図１】本考案の外観指示図である。
【図２】本考案の正面透視図である。
【図３】本考案のエアチューブ配置図である。
【図４】本考案の各構成部品連接の指示図である。
【符号の説明】
【００２４】
１０  マッサージベッド
１１  マッサージベッド本体
１２  容置空間
１３  エアチューブ
１４  制御ユニット
１５  復位ユニット
１６  空気充填ユニット
１７  空気排出ユニット
１４１  制御ボタン
１４２  制御ボタン
１４３  制御ボタン
１４４  制御ボタン
【図１】
0003139528.tif 000003
【図２】
0003139528.tif 000004
【図３】
0003139528.tif 000005
【図４】
0003139528.tif 000006